(57)【要約】【課題】携帯端末向けデジタル放送を携帯端末で受信中に、受信エラー等の原因によって放送内容を視聴できなかった場合、補完視聴サービスサーバから携帯端末に対しダイジェストコンテンツ等を配信することにより、視聴できなかった放送内容を補完して視聴できるようにする。【解決手段】放送局からの携帯端末向けのデジタル放送を受信し、該デジタル放送のＴＳ（トランスポートストリーム）から補完視聴サービス用コンテンツを生成して蓄積すると共に、携帯受信機から通信ネットワークを介して前記補完視聴サービス用コンテンツの配信要求を受信した場合には、前記補完視聴サービス用コンテンツから前記配信要求に付されている要求時刻以降の補完視聴サービス用コンテンツを抽出し、抽出した補完視聴サービス用コンテンツを前記携帯受信機に対し前記通信ネットワークを介して配信する。【選択図】      図１
2004349932.tif 000002
【特許請求の範囲】
【請求項１】
放送局からの携帯端末向けのデジタル放送を受信し、該デジタル放送のＴＳ（トランスポートストリーム）から補完視聴サービス用コンテンツを生成して蓄積すると共に、携帯受信機から通信ネットワークを介して前記補完視聴サービス用コンテンツの配信要求を受信した場合には、前記補完視聴サービス用コンテンツから前記配信要求に付されている要求時刻以降の補完視聴サービス用コンテンツを抽出し、抽出した補完視聴サービス用コンテンツを前記携帯受信機に対し前記通信ネットワークを介して配信する、ことを特徴とするデジタル放送の補完視聴サービスサーバ。
【請求項２】
前記補完視聴サービスサーバが蓄積する補完視聴サービス用コンテンツは、前記デジタル放送の再生において高速再生に見える高速再生ファイル、或いは、前記デジタル放送の重要なシーンだけを要約したダイジェストコンテンツ、の何れか一方か又は双方から成ることを特徴とする請求項１に記載のデジタル放送の補完視聴サービスサーバ。
【請求項３】
前記補完視聴サービスサーバが蓄積する補完視聴サービス用コンテンツ、すなわち、高速再生ファイル及び／又はダイジェストコンテンツには、前記デジタル放送の放送時刻情報が多重化されている、ことを特徴とする請求項２に記載のデジタル放送の補完視聴サービスサーバ。
【請求項４】
前記放送時刻情報は、前記デジタル放送のＴＳから得られるＴＤＴ（時刻日付テーブル）またはＴＯＴ（時刻日付オフセットテーブル）である、ことを特徴とする請求項３に記載のデジタル放送の補完視聴サービスサーバ。
【請求項５】
前記放送時刻情報は、前記デジタル放送のＴＳのＴＳパケットのヘッダ部に記載のＰＣＲ（プログラムクロックレファレンス）を、同一ＴＳパケットのヘッダ部のＯＰＣＲ（オリジナルプログラムクロックレファレンス）のフィールドに転記した値である、ことを特徴とする請求項３に記載のデジタル放送の補完視聴サービスサーバ。
【請求項６】
放送局からの携帯端末向けのデジタル放送を受信し、該デジタル放送のＴＳを出力するデジタル放送チューナ部と、通信ネットワークを介して通信を行う通信／制御部と、前記デジタル放送チューナ部と前記通信／制御部の制御を行うと共に、前記デジタル放送チューナ部から出力される前記ＴＳからデジタル放送の再生を行い、前記通信／制御部を介して補完視聴サービス用コンテンツを受信した場合に該補完視聴サービス用コンテンツの再生を行うアプリケーション制御部と、を備えることを特徴とするデジタル放送の携帯受信機。
【請求項７】
前記アプリケーション制御部は、前記デジタル放送チューナ部から出力されるＴＳから、ＰＩＤ（パケットＩＤ）に従ってＴＳパケットを弁別するＴＳデマックス手段と、ＴＳとして受信しているビデオストリーム、オーディオストリーム、ＰＳＩ（プログラムスペシフィックインフォメーション）、ＳＩ（サービスインフォメーション）のＴＳパケットのヘッダ部のｔｒａｎｓｐｏｒｔ＿ｅｒｒｏｒ＿ｉｎｄｉｃａｔｏｒ  で示される受信エラーの発生頻度を監視するストリーム監視手段と、ビデオストリームをデコードして表示部に表示するビデオデコード手段と、オーディオストリームをデコードして音声出力部に出力する音声デコード手段と、を備えることを特徴とする請求項６に記載のデジタル放送の携帯受信機。
【請求項８】
前記デジタル放送チューナ部にてデジタル放送の受信中に、前記ストリーム監視手段は受信中のＴＳパケットのヘッダ部のｔｒａｎｓｐｏｒｔ＿ｅｒｒｏｒ＿ｉｎｄｉｃａｔｏｒ  で示される受信エラーの発生頻度を監視しており、受信エラーの発生頻度が別途備えている閾値を越えたと判断した場合には、閾値を越えている時刻と、そのとき受信中のデジタル放送のチャンネル番号とを、前記アプリケーション制御部の備えるメモリに記憶させる、ことを特徴とする請求項７に記載のデジタル放送の携帯受信機。
【請求項９】
前記デジタル放送チューナ部にてデジタル放送の受信中に、前記通信／制御部に着信があった場合には、前記アプリケーション制御部は、着信のあった時刻と、そのとき受信中のデジタル放送のチャンネル番号とを、前記アプリケーション制御部の備えるメモリに記憶させる、ことを特徴とする請求項７に記載のデジタル放送の携帯受信機。
【請求項１０】
請求項８或いは請求項９の何れかに記載の携帯受信機において、補完視聴サービスが選択された場合には、前記アプリケーション制御部は、前記アプリケーション制御部の備える前記メモリに記憶されている、閾値を越えている時刻或いは着信のあった時刻と、そのとき受信中のデジタル放送のチャンネル番号と、補完視聴サービス用コンテンツの種別とを、配信要求として、前記通信／制御部から前記通信ネットワークを介して補完視聴サービスサーバに送信する、ことを特徴とする請求項８或いは請求項９の何れかに記載のデジタル放送の携帯受信機。
【請求項１１】
前記通信／制御部は、無線基地局及び携帯電話網を介して電話通信やデータ通信を行う携帯電話通信／制御部である、ことを特徴とする請求項１０に記載のデジタル放送の携帯受信機。
【請求項１２】
前記通信／制御部は、無線ＬＡＮアクセスポイント及びインターネットを介してデータ通信などを行う無線ＬＡＮ通信／制御部である、ことを特徴とする請求項１０に記載のデジタル放送の携帯受信機。
【請求項１３】
請求項４或いは請求項５の何れかに記載の補完視聴サービスサーバと、請求項１０から請求項１２の何れかに記載の携帯受信機とが、通信ネットワークを介して接続されるデジタル放送補完視聴サービス方式であって、前記携帯受信機から前記補完視聴サービスサーバに対し、前記通信ネットワークを介して補完視聴サービス用コンテンツの配信要求が送信された場合には、前記補完視聴サービスサーバは、自らの有する補完視聴サービス用コンテンツから前記配信要求に添付されている要求時刻（閾値を越えている時刻或いは着信のあった時刻）以降であって、かつ、前記配信要求に添付されている補完視聴サービス用コンテンツの種別に合致する補完視聴サービス用コンテンツを抽出し、前記通信ネットワークを介して抽出した補完視聴サービス用コンテンツを前記携帯受信機に配信する、ことを特徴とするデジタル放送補完視聴サービス方式。
【請求項１４】
前記携帯受信機は、前記抽出した補完視聴サービス用コンテンツの配信を受けた場合、該補完視聴サービス用コンテンツを再生すると共に、該補完視聴サービス用コンテンツに多重化されている放送時刻情報を監視し、前記放送時刻情報が現在時刻に追いついた場合には、自動的にデジタル放送受信に切り替える、ことを特徴とする請求項１３に記載のデジタル放送補完視聴サービス方式。
【請求項１５】
前記補完視聴サービスサーバのサービス業者は、前記抽出した補完視聴サービス用コンテンツの配信時間に応じて、前記携帯受信機に課金する、ことを特徴とする請求項１３或いは請求項１４の何れかに記載のデジタル放送補完視聴サービス方式。
【発明の詳細な説明】
【０００１】
【発明の属する技術分野】
本発明はデジタル放送の補完視聴サービスサーバ、携帯受信機、及びデジタル放送補完視聴サービス方式に関し、特に、携帯端末向けデジタル放送を携帯端末で受信中に、受信エラー等の原因によって放送内容を視聴できなかった場合、補完視聴サービスサーバから携帯端末に対しダイジェストコンテンツ等を配信することにより、視聴できなかった放送内容を補完して視聴することを可能とする、デジタル放送の補完視聴サービスサーバ、携帯受信機、及びデジタル放送補完視聴サービス方式に関する。
【０００２】
【従来の技術】
我が国においては、地上波デジタル放送での携帯電話向けテレビ放送が計画されており、また、衛星を利用した移動体向けの多チャンネル・マルチメディア全国放送サービスも計画されている。
【０００３】
一方、携帯電話やＰＤＡ（Ｐｅｒｓｏｎａｌ  Ｄｉｇｉｔａｌ  Ａｓｓｉｓｔａｎｃｅ  ：携帯情報端末）、或いは、カーナビゲーションシステムのような車載機器など、携帯型の情報端末の普及には目覚しいものがある。
【０００４】
しかしながら、従来の携帯型の情報端末で、移動体向けのデジタル放送を直接受信するためには、比較的大きな受信機を携帯型の情報端末に搭載しなければならないため、この回避策として、デジタル衛星放送を移動体サーバによって受信し、移動体サーバから移動体通信網を介して携帯端末に転送するようにする、データ転送方法および移動体サーバ、が提案されている（例えば、特許文献１参照。）。
【０００５】
【特許文献１】
特開２００２−５７６４５号公報（第３−５頁、図１−図４）
【０００６】
【発明が解決しようとする課題】
上述した特許文献１に記載の、従来のデータ転送方法および移動体サーバは、携帯端末で直接デジタル放送を受信するものではなく、また、携帯端末の受信状態が常に安定していることが、デジタル放送受信の条件となっている。
【０００７】
携帯端末においては、移動体であるという大前提があるため、携帯端末での受信状態は常に安定しているわけではなく、受信が途切れてしまう場合もありうるものとなっている。
【０００８】
本発明は、上述した事情を改善するために成されたものであり、従って本発明の目的は、携帯端末向けデジタル放送を携帯端末で受信中に、受信エラー等の原因によって放送内容を視聴できなかった場合、補完視聴サービスサーバから携帯端末に対しダイジェストコンテンツ等を配信することにより、視聴できなかった放送内容を補完して視聴することを可能とする、デジタル放送の補完視聴サービスサーバ、携帯受信機、及びデジタル放送補完視聴サービス方式を提供することにある。
【０００９】
【課題を解決するための手段】
請求項１に係わる発明は、放送局からの携帯端末向けのデジタル放送を受信し、該デジタル放送のＴＳ（トランスポートストリーム）から補完視聴サービス用コンテンツを生成して蓄積すると共に、携帯受信機から通信ネットワークを介して前記補完視聴サービス用コンテンツの配信要求を受信した場合には、前記補完視聴サービス用コンテンツから前記配信要求に付されている要求時刻以降の補完視聴サービス用コンテンツを抽出し、抽出した補完視聴サービス用コンテンツを前記携帯受信機に対し前記通信ネットワークを介して配信する、ことを特徴とするデジタル放送の補完視聴サービスサーバである。
【００１０】
請求項２に係わる発明は、請求項１に記載のデジタル放送の補完視聴サービスサーバであって、前記補完視聴サービスサーバが蓄積する補完視聴サービス用コンテンツは、前記デジタル放送の再生において高速再生に見える高速再生ファイル、或いは、前記デジタル放送の重要なシーンだけを要約したダイジェストコンテンツ、の何れか一方か又は双方から成ることを特徴とする。
【００１１】
請求項３に係わる発明は、請求項２に記載のデジタル放送の補完視聴サービスサーバであって、前記補完視聴サービスサーバが蓄積する補完視聴サービス用コンテンツ、すなわち、高速再生ファイル及び／又はダイジェストコンテンツには、前記デジタル放送の放送時刻情報が多重化されている、ことを特徴とする。
【００１２】
請求項４に係わる発明は、請求項３に記載のデジタル放送の補完視聴サービスサーバであって、前記放送時刻情報は、前記デジタル放送のＴＳから得られるＴＤＴ（時刻日付テーブル）またはＴＯＴ（時刻日付オフセットテーブル）である、ことを特徴とする。
【００１３】
請求項５に係わる発明は、請求項３に記載のデジタル放送の補完視聴サービスサーバであって、前記放送時刻情報は、前記デジタル放送のＴＳのＴＳパケットのヘッダ部に記載のＰＣＲ（プログラムクロックレファレンス）を、同一ＴＳパケットのヘッダ部のＯＰＣＲ（オリジナルプログラムクロックレファレンス）のフィールドに転記した値である、ことを特徴とする。
【００１４】
請求項６に係わる発明は、放送局からの携帯端末向けのデジタル放送を受信し、該デジタル放送のＴＳを出力するデジタル放送チューナ部と、通信ネットワークを介して通信を行う通信／制御部と、前記デジタル放送チューナ部と前記通信／制御部の制御を行うと共に、前記デジタル放送チューナ部から出力される前記ＴＳからデジタル放送の再生を行い、前記通信／制御部を介して補完視聴サービス用コンテンツを受信した場合に該補完視聴サービス用コンテンツの再生を行うアプリケーション制御部と、を備えることを特徴とするデジタル放送の携帯受信機である。
【００１５】
請求項７に係わる発明は、請求項６に記載のデジタル放送の携帯受信機であって、前記アプリケーション制御部は、前記デジタル放送チューナ部から出力されるＴＳから、ＰＩＤ（パケットＩＤ）に従ってＴＳパケットを弁別するＴＳデマックス手段と、ＴＳとして受信しているビデオストリーム、オーディオストリーム、ＰＳＩ（プログラムスペシフィックインフォメーション）、ＳＩ（サービスインフォメーション）のＴＳパケットのヘッダ部のｔｒａｎｓｐｏｒｔ＿ｅｒｒｏｒ＿ｉｎｄｉｃａｔｏｒ  で示される受信エラーの発生頻度を監視するストリーム監視手段と、ビデオストリームをデコードして表示部に表示するビデオデコード手段と、オーディオストリームをデコードして音声出力部に出力する音声デコード手段と、を備えることを特徴とする。
【００１６】
請求項８に係わる発明は、請求項７に記載のデジタル放送の携帯受信機であって、前記デジタル放送チューナ部にてデジタル放送の受信中に、前記ストリーム監視手段は受信中のＴＳパケットのヘッダ部のｔｒａｎｓｐｏｒｔ＿ｅｒｒｏｒ＿ｉｎｄｉｃａｔｏｒ  で示される受信エラーの発生頻度を監視しており、受信エラーの発生頻度が別途備えている閾値を越えたと判断した場合には、閾値を越えている時刻と、そのとき受信中のデジタル放送のチャンネル番号とを、前記アプリケーション制御部の備えるメモリに記憶させる、ことを特徴とする。
【００１７】
請求項９に係わる発明は、請求項７に記載のデジタル放送の携帯受信機であって、前記デジタル放送チューナ部にてデジタル放送の受信中に、前記通信／制御部に着信があった場合には、前記アプリケーション制御部は、着信のあった時刻と、そのとき受信中のデジタル放送のチャンネル番号とを、前記アプリケーション制御部の備えるメモリに記憶させる、ことを特徴とする。
【００１８】
請求項１０に係わる発明は、請求項８或いは請求項９の何れかに記載の携帯受信機において、補完視聴サービスが選択された場合には、前記アプリケーション制御部は、前記アプリケーション制御部の備える前記メモリに記憶されている、閾値を越えている時刻或いは着信のあった時刻と、そのとき受信中のデジタル放送のチャンネル番号と、補完視聴サービス用コンテンツの種別とを、配信要求として、前記通信／制御部から前記通信ネットワークを介して補完視聴サービスサーバに送信する、ことを特徴とする。
【００１９】
請求項１１に係わる発明は、請求項１０に記載のデジタル放送の携帯受信機であって、前記通信／制御部は、無線基地局及び携帯電話網を介して電話通信やデータ通信を行う携帯電話通信／制御部である、ことを特徴とする。
【００２０】
請求項１２に係わる発明は、請求項１０に記載のデジタル放送の携帯受信機であって、前記通信／制御部は、無線ＬＡＮアクセスポイント及びインターネットを介してデータ通信などを行う無線ＬＡＮ通信／制御部である、ことを特徴とする。
【００２１】
請求項１３に係わる発明は、請求項４或いは請求項５の何れかに記載の補完視聴サービスサーバと、請求項１０から請求項１２の何れかに記載の携帯受信機とが、通信ネットワークを介して接続されるデジタル放送補完視聴サービス方式であって、前記携帯受信機から前記補完視聴サービスサーバに対し、前記通信ネットワークを介して補完視聴サービス用コンテンツの配信要求が送信された場合には、前記補完視聴サービスサーバは、自らの有する補完視聴サービス用コンテンツから前記配信要求に添付されている要求時刻（閾値を越えている時刻或いは着信のあった時刻）以降であって、かつ、前記配信要求に添付されている補完視聴サービス用コンテンツの種別に合致する補完視聴サービス用コンテンツを抽出し、前記通信ネットワークを介して抽出した補完視聴サービス用コンテンツを前記携帯受信機に配信する、ことを特徴とするデジタル放送補完視聴サービス方式である。
【００２２】
請求項１４に係わる発明は、請求項１３に記載のデジタル放送補完視聴サービス方式であって、前記携帯受信機は、前記抽出した補完視聴サービス用コンテンツの配信を受けた場合、該補完視聴サービス用コンテンツを再生すると共に、該補完視聴サービス用コンテンツに多重化されている放送時刻情報を監視し、前記放送時刻情報が現在時刻に追いついた場合には、自動的にデジタル放送受信に切り替える、ことを特徴とする。
【００２３】
請求項１５に係わる発明は、請求項１３或いは請求項１４の何れかに記載のデジタル放送補完視聴サービス方式であって、前記補完視聴サービスサーバのサービス業者は、前記抽出した補完視聴サービス用コンテンツの配信時間に応じて、前記携帯受信機に課金する、ことを特徴とする。
【００２４】
【発明の実施の形態】
次に、本発明の実施の形態について図面を参照して説明する。
【００２５】
図１は、本発明のデジタル放送補完視聴サービス方式の一実施形態を示すブロック図である。
【００２６】
図１に示す本実施の形態は、携帯端末５０向けテレビ放送などのデジタル放送を行う放送局１０と、放送局１０からのデジタル放送を受信し、デジタル放送の内容を高速再生ファイル或いはダイジェストコンテンツなどの補完視聴サービス用コンテンツに変換して蓄積する補完視聴サービスサーバ２０と、補完視聴サービスサーバ２０の補完視聴サービス用コンテンツを、携帯端末５０に配信するための電話公衆網３０及び無線基地局４０と、放送局１０からのデジタル放送を直接受信する機能を備えると共に、受信エラー等の原因によって放送局１０からのデジタル放送を視聴できなかった場合に、視聴できなかった部分を補完視聴サービスサーバ２０から補完して視聴する機能を備える携帯端末５０と、から構成されている。
【００２７】
ここで、放送局１０からのデジタル放送は、例えばＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ  ）１３８１８−１として規格化されているＭＰＥＧ（Ｍｏｖｉｎｇ  Ｐｉｃｔｕｒｅ  Ｅｘｐｅｒｔｓ  Ｇｒｏｕｐ）２システムズのＴＳ（Ｔｒａｎｓｐｏｒｔ  Ｓｔｒｅａｍ：トランスポートストリーム）を用いて、映像信号（ビデオストリームと称することとする）や音声信号（オーディオストリームと称することとする）等の放送が行われている。
【００２８】
図２は、ＴＳ（トランスポートストリーム）の構造を示す図である。
【００２９】
図２において、ＴＳ（トランスポートストリーム）は、図２（イ）に示すように、ヘッダ（ｈｅａｄｅｒ）とペイロード（ｐａｙｌｏａｄ  ）から成る１８８バイト単位のＴＳパケットの列として形成されている。
【００３０】
ＴＳ（トランスポートストリーム）には、ビデオストリーム、オーディオストリームの他に、番組情報を示すための制御データや、現在時刻を示す制御データ、或いは、パケット化に伴って必要となる制御データなども含まれている。
【００３１】
例えば、番組情報を示すための制御データとしては、ＰＳＩ（Ｐｒｏｇｒａｍ  Ｓｐｅｃｉｆｉｃ  Ｉｎｆｏｒｍａｔｉｏｎ：プログラムスペシフィックインフォメーション）や、ＳＩ（Ｓｅｒｖｉｃｅ  Ｉｎｆｏｒｍａｔｉｏｎ  ：サービスインフォメーション）を挙げることができる。ＰＳＩは、ＴＳパケットのペイロードを、他のどのＴＳパケットに含まれているペイロードと一緒に再生すべきか、という情報を示し、ＳＩは、番組内容、番組開始時刻、番組継続時間、ジャンル情報等の番組情報を含んでいる。
【００３２】
また、現在時刻を示す制御データとしては、現在の時間（年、月、日、時、分、秒）を秒精度で表示するＴＤＴ（Ｔｉｍｅ  ａｎｄ  Ｄａｔｅ  Ｔａｂｌｅ  ：時刻日付テーブル）やＴＯＴ（Ｔｉｍｅ  Ｏｆｆｓｅｔ  Ｔａｂｌｅ  ：時刻日付オフセットテーブル）が、番組を参照する際の基準時計として、番組に多重されて送信される。
【００３３】
図５は、ＴＤＴ（時刻日付テーブル）のテーブル構造を示す図である。図５において、ＴＤＴの（イ）には、現在日付が記入され、ＴＤＴの（ロ）には、現在時刻が記入されるようになっている。なお、各フィールドの下部に記載の数字は、該フィールドのビット数を示している。
【００３４】
図６は、ＴＯＴ（時刻日付オフセットテーブル）のテーブル構造を示す図である。図６において、ＴＯＴの（イ）には、現在日付が記入され、ＴＯＴの（ロ）には、現在時刻が記入されるようになっている。なお、各フィールドの下部に記載の数字は、該フィールドのビット数を示している。
【００３５】
図２に戻り、図２（イ）に示す各ＴＳパケットのヘッダ部は、図２（ロ）に示すような複数のフィールドに分割されている。そして、ヘッダ部には、ＴＳパケットの受信時にエラーが発生したか否かを示す１ビットのｔｒａｎｓｐｏｒｔ＿ｅｒｒｏｒ＿ｉｎｄｉｃａｔｏｒ  （トランスポートエラーインジケータ）（ロ−１）フィールド、及び、該ＴＳパケットのパケットＩＤを示す１３ビットのＰＩＤ（Ｐａｃｋｅｔ  ＩＤ  ）（ロ−２）フィールドが含まれている。なお、各フィールドの下部に記載の数字は、該フィールドのビット数を示している。
【００３６】
また、図２（ロ）に示すヘッダ部は、ａｄａｐｔａｔｉｏｎ＿ｆｉｅｌｄ（アダプテーションフィールド）（ロ−３）を含んでおり、その詳細フィールド構成を図２（ハ）に示す。図２（ハ）に示すａｄａｐｔａｔｉｏｎ＿ｆｉｅｌｄは、ｏｐｔｉｏｎａｌ＿ｆｉｅｌｄ（オプショナルフィールド）（ハ−１）を含んでおり、その詳細フィールド構成を図２（ニ）に示す。
【００３７】
図２（ニ）に示すｏｐｔｉｏｎａｌ＿ｆｉｅｌｄの先頭には、デジタル放送の時間情報であるところのＰＣＲ（Ｐｒｏｇｒａｍ＿Ｃｌｏｃｋ＿Ｒｅｆｅｒｅｎｃｅ  ：プログラムクロックレファレンス）（ニ−１）、及び、ＯＰＣＲ（Ｏｒｉｇｉｎａｌ＿Ｐｒｏｇｒａｍ＿Ｃｌｏｃｋ＿Ｒｅｆｅｒｅｎｃｅ：オリジナルプログラムクロックレファレンス）（ニ−２）の各フィールドが含まれている。
【００３８】
以上、図２を参照して説明したＴＳパケットのデータ構造について、図３及び図４に改めて示しておく。
【００３９】
図３は、ＴＳパケットのデータ構造を示す図である。
【００４０】
図３において、（イ）に示すｔｒａｎｓｐｏｒｔ＿ｅｒｒｏｒ＿ｉｎｄｉｃａｔｏｒ  は図２（ロ−１）に示したｔｒａｎｓｐｏｒｔ＿ｅｒｒｏｒ＿ｉｎｄｉｃａｔｏｒ  に対応しており、（ロ）に示すＰＩＤは図２（ロ−２）に示したＰＩＤに対応している。
【００４１】
図４は、ＴＳパケットのアダプテーションフィールドのデータ構造を示す図である。
【００４２】
図４において、（イ）及び（ロ）に示すｐｒｏｇｒａｍ＿ｃｌｏｃｋ＿ｒｅｆｅｒｅｎｃｅ＿ｂａｓｅ及びｐｒｏｇｒａｍ＿ｃｌｏｃｋ＿ｒｅｆｅｒｅｎｃｅ＿ｅｘｔｅｎｓｉｏｎ  は図２（ニ−１）に示したＰＣＲに対応しており、（ハ）及び（ニ）に示すｏｒｉｇｉｎａｌ＿ｐｒｏｇｒａｍ＿ｃｌｏｃｋ＿ｒｅｆｅｒｅｎｃｅ＿ｂａｓｅ  及びｏｒｉｇｉｎａｌ＿ｐｒｏｇｒａｍ＿ｃｌｏｃｋ＿ｒｅｆｅｒｅｎｃｅ＿ｅｘｔｅｎｓｉｏｎ  は図２（ニ−２）に示したＯＰＣＲに対応している。なお、その他のフィールドの説明については省略するものとする。
【００４３】
次に、図７を参照して、図１に示した本実施形態の補完視聴サービスサーバ２０の構成について説明する。
【００４４】
図７は、補完視聴サービスサーバの一例を示す詳細ブロック図である。
【００４５】
図７において、補完視聴サービスサーバ２０は、放送局１０からの携帯端末５０向けデジタル放送を受信するチューナ２０１と、チューナ２０１にて受信したデジタル放送のＴＳ（トランスポートストリーム）から、時刻情報（ＴＤＴやＴＯＴ、或いはＴＳパケット内のＰＣＲ）２２０と、ビデオストリーム、オーディオストリームを分離し、時刻情報２２０をＴＳマックス２０４、２０６に送出し、ビデオストリーム、オーディオストリームをトランスコーダ２０３へ送出するＴＳデマックス２０２と、ＴＳデマックス２０２から送出されたビデオストリーム、オーディオストリームを、高速再生ファイル２３０、ダイジェストコンテンツ２４０に変換し、高速再生ファイル２３０をＴＳマックス２０４に送出すると共に、ダイジェストコンテンツ２４０をＴＳマックス２０６に送出するトランスコーダ２０３と、高速再生ファイル２３０と時刻情報２２０を多重化するＴＳマックス２０４と、ダイジェストコンテンツ２４０と時刻情報２２０を多重化するＴＳマックス２０６と、ＴＳマックス２０４から送出される高速再生ファイルを蓄積する蓄積装置２０５と、ＴＳマックス２０６から送出されるダイジェストコンテンツを蓄積する蓄積装置２０７と、蓄積装置２０５の高速再生ファイル、或いは、蓄積装置２０７のダイジェストコンテンツの何れかを選択するセレクタ２０８と、電話公衆網３０と接続するモデム２０９と、から構成されている。
【００４６】
モデム２０９は、電話公衆網３０を介して、携帯端末５０から受信する要求情報の内、ファイルの位置指定２５０の情報を蓄積装置２０５、２０７に伝達すると共に、ファイルの選択２６０の情報をセレクタ２０８に伝達する。また、セレクタ２０８によって選択された蓄積装置２０５の高速再生ファイル、或いは、蓄積装置２０７のダイジェストコンテンツを、電話公衆網３０を介して携帯端末５０に送出する。
【００４７】
補完視聴サービスサーバ２０は、常に、携帯端末５０向けデジタル放送を受信している。そして、トランスコーダ２０３は、受信したデジタル放送のビデオストリームの画面の間引きを行い、再生画面が高速再生に見えるＭＰＥＧビジュアルストリームに変換する。また、受信したデジタル放送のオーディオストリームは、音声データのサンプル周波数の変換と、音声データの第１、第２ホルマント（ｆｏｒｍａｎｔ  ）の抽出及び該ホルマント周波数位置の移動を行って、早口に再生するＭＰＥＧオーディオストリームに変換する。そして、このＭＰＥＧビジュアルストリームと、ＭＰＥＧオーディオストリームをマルチプレックスして高速再生ファイル２３０を生成し続けている。
【００４８】
ＴＳマックス２０４は、ＴＳデマックス２０２からの時刻情報２２０のＴＤＴまたはＴＯＴ、或いはＰＣＲを、高速再生ファイル２３０の高速再生の位置に多重化して、これを蓄積装置２０５に蓄積し続けている。
【００４９】
また、トランスコーダ２０３は、受信したデジタル放送のビデオストリームとオーディオストリームの内から、重要なシーンだけを要約したダイジェストコンテンツ２４０を生成している。ＴＳマックス２０６は、ＴＳデマックス２０２からの時刻情報２２０のＴＤＴまたはＴＯＴ、或いはＰＣＲを、ダイジェストコンテンツ２４０のダイジェストの位置に多重化して、これを蓄積装置２０７に蓄積し続けている。
【００５０】
なお、補完視聴サービスサーバ２０は、蓄積装置２０５の高速再生ファイルと放送時刻、放送のチャンネル番号を関連付けておくものとし、また、蓄積装置２０７のダイジェストコンテンツと放送時刻、放送のチャンネル番号を関連付けておくものとする。
【００５１】
次に、図８を参照して、図１に示した本実施形態の携帯端末５０の構成について説明する。なお、本願の特許請求の範囲においては、携帯端末５０を携帯受信機と称するものとする。
【００５２】
図８は、携帯端末の一例を示す詳細ブロック図である。
【００５３】
図８において、携帯端末５０は、無線基地局４０及び移動体通信網であるところの電話公衆網３０を介して電話通信やデータ通信が可能な携帯電話に、放送局１０からの携帯端末５０向けデジタル放送を受信できる機能を搭載した、デジタル放送受信機能内蔵携帯電話である。
【００５４】
すなわち、携帯端末５０は、放送局１０からのデジタル放送を受信するデジタル放送チューナ部５１０と、無線基地局４０及び電話公衆網３０を介して電話通信やデータ通信を行う携帯電話通信／制御部５３０と、デジタル放送チューナ部５１０及び携帯電話通信／制御部５３０の制御を行うアプリケーション制御部５２０と、アプリケーション制御部５２０から出力される画像／映像情報を表示する表示装置としてのＤｉｓｐｌａｙ５４１と、アプリケーション制御部５２０から出力される音声情報を出力するＳＰＫ（ｓｐｅａｋｅｒ  ：スピーカ）５４２と、アプリケーション制御部５２０が必要とするデータを記憶するメモリ５２３と、アプリケーション制御部５２０に時刻情報を提供する時計５２４と、から構成されている。
【００５５】
デジタル放送チューナ部５１０は、チューナモジュール５１１を搭載しており、チューナモジュール５１１は、放送局１０からの携帯端末５０向けデジタル放送を受信するチューナ５１２と、チューナ５１２で受信したデジタル放送のデジタル復調機能及び誤り訂正機能を備えるチューナ制御部５１３と、から構成されている。チューナ制御部５１３は、チューナ５１２で受信したデジタル放送のＴＳ（Ｔｒａｎｓｐｏｒｔ  Ｓｔｒｅａｍ）５９０をアプリケーション制御部５２０に送出する。また、デジタル放送チューナ部５１０は、アプリケーション制御部５２０から送出されるチューナ制御５８０の情報を受け、チューナモジュール５１１の動作制御を行う。
【００５６】
携帯電話通信／制御部５３０は、無線基地局４０との間で電話通信やデータ通信のための無線電波の送受信を行う通信部５３１と、アプリケーション制御部５２０の制御のもとで通信部５３１の制御を行う制御部５３２と、から構成されている。携帯電話通信／制御部５３０は、補完視聴サービスサーバ２０から送られてくる補完視聴サービス用コンテンツの受信部にもなっている。
【００５７】
アプリケーション制御部５２０は、デジタル放送チューナ部５１０及び携帯電話通信／制御部５３０の制御を行うＣＰＵ（Ｃｅｎｔｒａｌ  Ｐｒｏｃｅｓｓｉｎｇ  Ｕｎｉｔ  ：中央処理装置）５２１と、ＣＰＵ５２１が受信したＴＳ（Ｔｒａｎｓｐｏｒｔ  Ｓｔｒｅａｍ）５９０のデジタル信号処理を行うＤＳＰ（Ｄｉｇｉｔａｌ  Ｓｉｇｎａｌ  Ｐｒｏｃｅｓｓｏｒ：デジタル信号処理装置）５２２と、から構成されている。
【００５８】
ＣＰＵ５２１は、デジタル放送チューナ部５１０からＴＳ５９０を受信し、ＰＩＤ（パケットＩＤ）に従ってＴＳパケットを弁別するＴＳ＿Ｄｅｍｕｘ（ＴＳデマックス）機能と、ＴＳ５９０として受信しているビデオストリーム、オーディオストリーム、或いは、ＰＳＩ（プログラムスペシフィックインフォメーション）、ＳＩ（サービスインフォメーション）のＴＳパケットのｔｒａｎｓｐｏｒｔ＿ｅｒｒｏｒ＿ｉｎｄｉｃａｔｏｒ  （図２（ロ−１）に示したフィールド）で示される受信エラーの発生頻度を監視するストリーム監視機能と、を備えている。
【００５９】
そして、ＣＰＵ５２１は、ストリーム監視機能により、ＴＳパケットのｔｒａｎｓｐｏｒｔ＿ｅｒｒｏｒ＿ｉｎｄｉｃａｔｏｒ  で示されるエラーの発生頻度が、別途備えている閾値を越えたと判断した場合には、閾値を越えている時刻と、その時受信中のデジタル放送のチャンネル番号とを、メモリ５２３に記憶させるようになっている。また、携帯端末５０でデジタル放送受信中に電話着信が有った場合は、デジタル放送の受信が途切れてしまう為、ＣＰＵ５２１は、電話が着信した時の着信時刻すなわち、通話開始時刻と、その時受信中のデジタル放送のチャンネル番号とを、メモリ５２３に記憶させるようになっている。
【００６０】
ＤＳＰ５２２は、ＣＰＵ５２１から受信したビデオストリームをデコードしてＤｉｓｐｌａｙ５４１に表示するビデオデコード機能と、ＣＰＵ５２１から受信したオーディオストリームをデコードしてＳＰＫ５４２に出力する音声デコード機能と、を備えている。
【００６１】
携帯端末５０にてデジタル放送を視聴している視聴者は、デジタル放送の受信エラーが原因で放送内容を視聴できなかったとき、または、携帯端末５０に電話着信があったために通話を行い放送内容を視聴できなかったとき、携帯端末５０にて補完視聴サービスを選択する。携帯端末５０で補完視聴サービスが選択されると、メモリ５２３に記憶していたエラーが閾値を超えている時刻、または、通話開始時刻と、その時受信中であったデジタル放送のチャンネル番号とが、携帯電話通信／制御部５３０から発信され、これが無線基地局４０及び電話公衆網３０を介して、補完視聴サービスサーバ２０に伝送される。視聴者は、補完視聴サービスを選択した際に、補完視聴サービスサーバ２０の高速再生ファイルを利用するのか、或いは、ダイジェストコンテンツを利用するのかの情報も、合わせて補完視聴サービスサーバ２０に伝達するようにする。
【００６２】
次に、図１から図８に示した本実施形態の第１の動作例について詳細に説明する。
【００６３】
図１に示した放送局１０は、携帯端末５０向けテレビ放送などのデジタル放送を放送しており、携帯端末５０は、このデジタル放送を受信して視聴中である。
【００６４】
携帯端末５０のＣＰＵ５２１は、デジタル放送を受信中に、ＴＳパケットのｔｒａｎｓｐｏｒｔ＿ｅｒｒｏｒ＿ｉｎｄｉｃａｔｏｒ  （図２（ロ−１））で示される時間当たりの受信エラーの発生頻度を、ストリーム監視機能を使用して常に計測している。ＴＳパケットのｔｒａｎｓｐｏｒｔ＿ｅｒｒｏｒ＿ｉｎｄｉｃａｔｏｒ  で示される時間当たりの受信エラーの発生頻度が、別途備えている閾値を越えたと判断した場合には、閾値を越えている時刻と、その時受信中のデジタル放送のチャンネル番号とを、携帯端末５０のメモリ５２３に記憶しておく。
【００６５】
また、携帯端末５０のＣＰＵ５２１は、デジタル放送の視聴中に電話が着信した場合には、着信時刻すなわち通話開始時刻と、その時視聴中のデジタル放送のチャンネル番号とを、携帯端末５０のメモリ５２３に記憶しておく。
【００６６】
補完視聴サービスサーバ２０は、放送局１０からの携帯端末５０向けデジタル放送を、常に受信している。そして、補完視聴サービスサーバ２０のトランスコーダ２０３は、受信したデジタル放送のビデオストリームの画面の間引きを行い、再生画面が高速再生に見えるＭＰＥＧビジュアルストリームに変換する。また、受信したデジタル放送のオーディオストリームは、音声データのサンプル周波数の変換と、音声データの第１、第２ホルマントの抽出及び該ホルマント周波数位置の移動を行って、早口に再生するＭＰＥＧオーディオストリームに変換する。そして、このＭＰＥＧビジュアルストリームと、ＭＰＥＧオーディオストリームをマルチプレックスして高速再生ファイル２３０を生成し続けている。補完視聴サービスサーバ２０のＴＳマックス２０４は、ＴＳデマックス２０２からの時刻情報２２０のＴＤＴまたはＴＯＴを、高速再生ファイル２３０の高速再生の位置に多重化して、これを蓄積装置２０５に蓄積し続けている。なお、補完視聴サービスサーバ２０は、蓄積装置２０５の高速再生ファイルと放送時刻、放送のチャンネル番号を関連付けておく。
【００６７】
携帯端末５０にてデジタル放送を視聴している視聴者は、デジタル放送の受信エラーが原因で放送内容を視聴できなかったとき、または、携帯端末５０に電話着信があったために通話を行い放送内容を視聴できなかったとき、携帯端末５０にて補完視聴サービスを選択する。携帯端末５０で補完視聴サービスが選択されると、メモリ５２３に記憶していたエラーが閾値を超えている時刻、または、通話開始時刻と、その時受信中であったデジタル放送のチャンネル番号とが、携帯電話通信／制御部５３０から発信され、これが無線基地局４０及び電話公衆網３０を介して、補完視聴サービスサーバ２０に伝送される。視聴者は、補完視聴サービスを選択した際に、補完視聴サービスサーバ２０の高速再生ファイルを利用するという情報も、合わせて補完視聴サービスサーバ２０に伝達するようにする。
【００６８】
補完視聴サービスサーバ２０は、モデム２０９を介して受信した、エラーが閾値を超えている時刻（または、通話開始時刻）とデジタル放送のチャンネル番号から、ファイルの選択２６０の情報をセレクタ２０８に伝達する事によって蓄積装置２０５の高速再生ファイルを選択し、かつ、ファイルの位置指定２５０の情報を蓄積装置２０５に伝達する事によって、エラーが閾値を超えている時刻（または、通話開始時刻）以降でデジタル放送のチャンネル番号に該当する高速再生ファイル部分を抽出する。
【００６９】
そして、補完視聴サービスサーバ２０のモデム２０９から、抽出した高速再生ファイル部分を電話公衆網３０及び無線基地局４０を介して携帯端末５０に送り出し、携帯端末５０では、これを携帯電話通信／制御部５３０により受信し、ＣＰＵ５２１を介してＤＳＰ５２２に送出し、ＤＳＰ５２２のビデオデコード機能及び音声デコード機能を用いて再生し、Ｄｉｓｐｌａｙ５４１、ＳＰＫ５４２に出力する。
【００７０】
これら一連の動作により、携帯端末５０にてデジタル放送を視聴していた視聴者は、デジタル放送の直接受信では視聴できなかった放送内容を、補完視聴サービスサーバ２０から補完的に受信して高速再生により番組内容を確認することが可能となる。
【００７１】
携帯端末５０では、携帯端末５０内の時計５２４の現在時刻と、補完視聴サービスサーバ２０から送られてくる高速再生ファイル部分に多重化されて含まれている時刻情報（ＴＤＴまたはＴＯＴ）を比較して、補完視聴サービス用コンテンツすなわち高速再生ファイル部分が、現在の放送局１０からのデジタル放送に追いついたことを判定する。追いついたら携帯端末５０は、放送局１０からのデジタル放送受信に自動的に切り替える。
【００７２】
高速再生ファイル部分の送出時間に応じて、補完視聴サービスサーバ２０のサービス業者は、携帯端末５０に課金する。
【００７３】
以上、本実施形態の第１の動作例として説明したように、デジタル放送の受信が不安定な携帯端末５０であっても、受信できなかった放送内容が、補完視聴サービスサーバ２０により、補完視聴サービス用コンテンツ、すなわち、高速再生ファイル部分としてダウンロードされるため、放送内容を高速再生により確認することができ、補完視聴サービスサーバ２０からの補完視聴サービス用コンテンツがデジタル放送に追いつけば、携帯端末５０は自動的にデジタル放送受信に切り替わる、という効果が有る。
【００７４】
次に、図１から図８に示した本実施形態の第２の動作例について詳細に説明する。
【００７５】
本実施形態の第２の動作例は、補完視聴サービスサーバ２０が蓄積する補完視聴サービス用コンテンツが、デジタル放送の内の重要なシーンだけを要約したダイジェストコンテンツである点でのみ、第１の動作例とは異なるものである。
【００７６】
すなわち、図１に示した放送局１０は、携帯端末５０向けテレビ放送などのデジタル放送を放送しており、携帯端末５０は、このデジタル放送を受信して視聴中である。
【００７７】
携帯端末５０のＣＰＵ５２１は、デジタル放送を受信中に、ＴＳパケットのｔｒａｎｓｐｏｒｔ＿ｅｒｒｏｒ＿ｉｎｄｉｃａｔｏｒ  （図２（ロ−１））で示される時間当たりの受信エラーの発生頻度を、ストリーム監視機能を使用して常に計測している。ＴＳパケットのｔｒａｎｓｐｏｒｔ＿ｅｒｒｏｒ＿ｉｎｄｉｃａｔｏｒ  で示される時間当たりの受信エラーの発生頻度が、別途備えている閾値を越えたと判断した場合には、閾値を越えている時刻と、その時受信中のデジタル放送のチャンネル番号とを、携帯端末５０のメモリ５２３に記憶しておく。
【００７８】
また、携帯端末５０のＣＰＵ５２１は、デジタル放送の視聴中に電話が着信した場合には、着信時刻すなわち通話開始時刻と、その時視聴中のデジタル放送のチャンネル番号とを、携帯端末５０のメモリ５２３に記憶しておく。
【００７９】
補完視聴サービスサーバ２０は、放送局１０からの携帯端末５０向けデジタル放送を、常に受信している。そして、補完視聴サービスサーバ２０のトランスコーダ２０３は、受信したデジタル放送のビデオストリーム及びオーディオストリームの内から、重要なシーンだけを要約したダイジェストコンテンツ２４０を生成している。補完視聴サービスサーバ２０のＴＳマックス２０６は、ＴＳデマックス２０２からの時刻情報２２０のＴＤＴまたはＴＯＴを、ダイジェストコンテンツ２４０のダイジェストの位置に多重化して、これを蓄積装置２０７に蓄積し続けている。なお、補完視聴サービスサーバ２０は、蓄積装置２０７のダイジェストコンテンツと放送時刻、放送のチャンネル番号を関連付けておく。
【００８０】
携帯端末５０にてデジタル放送を視聴している視聴者は、デジタル放送の受信エラーが原因で放送内容を視聴できなかったとき、または、携帯端末５０に電話着信があったために通話を行い放送内容を視聴できなかったとき、携帯端末５０にて補完視聴サービスを選択する。携帯端末５０で補完視聴サービスが選択されると、メモリ５２３に記憶していたエラーが閾値を超えている時刻、または、通話開始時刻と、その時受信中であったデジタル放送のチャンネル番号とが、携帯電話通信／制御部５３０から発信され、これが無線基地局４０及び電話公衆網３０を介して、補完視聴サービスサーバ２０に伝送される。視聴者は、補完視聴サービスを選択した際に、補完視聴サービスサーバ２０のダイジェストコンテンツを利用するという情報も、合わせて補完視聴サービスサーバ２０に伝達するようにする。
【００８１】
補完視聴サービスサーバ２０は、モデム２０９を介して受信した、エラーが閾値を超えている時刻（または、通話開始時刻）とデジタル放送のチャンネル番号から、ファイルの選択２６０の情報をセレクタ２０８に伝達する事によって蓄積装置２０７のダイジェストコンテンツを選択し、かつ、ファイルの位置指定２５０の情報を蓄積装置２０７に伝達する事によって、エラーが閾値を超えている時刻（または、通話開始時刻）以降でデジタル放送のチャンネル番号に該当するダイジェストコンテンツ部分を抽出する。
【００８２】
そして、補完視聴サービスサーバ２０のモデム２０９から、抽出したダイジェストコンテンツ部分を電話公衆網３０及び無線基地局４０を介して携帯端末５０に送り出し、携帯端末５０では、これを携帯電話通信／制御部５３０により受信し、ＣＰＵ５２１を介してＤＳＰ５２２に送出し、ＤＳＰ５２２のビデオデコード機能及び音声デコード機能を用いて再生し、Ｄｉｓｐｌａｙ５４１、ＳＰＫ５４２に出力する。
【００８３】
これら一連の動作により、携帯端末５０にてデジタル放送を視聴していた視聴者は、デジタル放送の直接受信では視聴できなかった放送内容を、補完視聴サービスサーバ２０から補完的に受信してダイジェストコンテンツにより番組内容を確認することが可能となる。
【００８４】
携帯端末５０では、携帯端末５０内の時計５２４の現在時刻と、補完視聴サービスサーバ２０から送られてくるダイジェストコンテンツ部分に多重化されて含まれている時刻情報（ＴＤＴまたはＴＯＴ）を比較して、補完視聴サービス用コンテンツすなわちダイジェストコンテンツ部分が、現在の放送局１０からのデジタル放送に追いついたことを判定する。追いついたら携帯端末５０は、放送局１０からのデジタル放送受信に自動的に切り替える。
【００８５】
ダイジェストコンテンツ部分の送出時間に応じて、補完視聴サービスサーバ２０のサービス業者は、携帯端末５０に課金する。
【００８６】
以上、本実施形態の第２の動作例として説明したように、デジタル放送の受信が不安定な携帯端末５０であっても、受信できなかった放送内容が、補完視聴サービスサーバ２０により、補完視聴サービス用コンテンツ、すなわち、ダイジェストコンテンツ部分としてダウンロードされるため、放送内容をダイジェスト版により確認することができ、補完視聴サービスサーバ２０からの補完視聴サービス用コンテンツがデジタル放送に追いつけば、携帯端末５０は自動的にデジタル放送受信に切り替わる、という効果が有る。
【００８７】
次に、図１から図８に示した本実施形態の第３の動作例について詳細に説明する。
【００８８】
本実施形態の第３の動作例は、補完視聴サービスサーバ２０が蓄積する補完視聴サービス用コンテンツが、第１の動作例として上述した高速再生ファイルである点で第１の動作例と同じであるが、高速再生ファイルに多重化する時刻情報が、ＴＤＴまたはＴＯＴで無く、ＴＳパケットから得られるＰＣＲ（図２（ニ−１）に示したフィールド）である点でのみ、第１の動作例とは異なるものである。
【００８９】
すなわち、図１に示した放送局１０は、携帯端末５０向けテレビ放送などのデジタル放送を放送しており、携帯端末５０は、このデジタル放送を受信して視聴中である。
【００９０】
携帯端末５０のＣＰＵ５２１は、デジタル放送を受信中に、ＴＳパケットのｔｒａｎｓｐｏｒｔ＿ｅｒｒｏｒ＿ｉｎｄｉｃａｔｏｒ  （図２（ロ−１））で示される時間当たりの受信エラーの発生頻度を、ストリーム監視機能を使用して常に計測している。ＴＳパケットのｔｒａｎｓｐｏｒｔ＿ｅｒｒｏｒ＿ｉｎｄｉｃａｔｏｒ  で示される時間当たりの受信エラーの発生頻度が、別途備えている閾値を越えたと判断した場合には、閾値を越えている時刻と、その時受信中のデジタル放送のチャンネル番号とを、携帯端末５０のメモリ５２３に記憶しておく。
【００９１】
また、携帯端末５０のＣＰＵ５２１は、デジタル放送の視聴中に電話が着信した場合には、着信時刻すなわち通話開始時刻と、その時視聴中のデジタル放送のチャンネル番号とを、携帯端末５０のメモリ５２３に記憶しておく。
【００９２】
補完視聴サービスサーバ２０は、放送局１０からの携帯端末５０向けデジタル放送を、常に受信している。そして、補完視聴サービスサーバ２０のトランスコーダ２０３は、受信したデジタル放送のビデオストリームの画面の間引きを行い、再生画面が高速再生に見えるＭＰＥＧビジュアルストリームに変換する。また、受信したデジタル放送のオーディオストリームは、音声データのサンプル周波数の変換と、音声データの第１、第２ホルマントの抽出及び該ホルマント周波数位置の移動を行って、早口に再生するＭＰＥＧオーディオストリームに変換する。そして、このＭＰＥＧビジュアルストリームと、ＭＰＥＧオーディオストリームをマルチプレックスして高速再生ファイル２３０を生成し続けている。補完視聴サービスサーバ２０のＴＳマックス２０４は、ＴＳデマックス２０２からの時刻情報２２０のＰＣＲ（プログラムクロックレファレンス）の値を、そのままＯＰＣＲ（オリジナルプログラムクロックレファレンス：図２（ニ−２）に示したフィールド）に転記し、これを高速再生ファイル２３０の高速再生の位置に多重化したものを蓄積装置２０５に蓄積し続けている。なお、補完視聴サービスサーバ２０は、蓄積装置２０５の高速再生ファイルと放送時刻、放送のチャンネル番号を関連付けておく。
【００９３】
携帯端末５０にてデジタル放送を視聴している視聴者は、デジタル放送の受信エラーが原因で放送内容を視聴できなかったとき、または、携帯端末５０に電話着信があったために通話を行い放送内容を視聴できなかったとき、携帯端末５０にて補完視聴サービスを選択する。携帯端末５０で補完視聴サービスが選択されると、メモリ５２３に記憶していたエラーが閾値を超えている時刻、または、通話開始時刻と、その時受信中であったデジタル放送のチャンネル番号とが、携帯電話通信／制御部５３０から発信され、これが無線基地局４０及び電話公衆網３０を介して、補完視聴サービスサーバ２０に伝送される。視聴者は、補完視聴サービスを選択した際に、補完視聴サービスサーバ２０の高速再生ファイルを利用するという情報も、合わせて補完視聴サービスサーバ２０に伝達するようにする。
【００９４】
補完視聴サービスサーバ２０は、モデム２０９を介して受信した、エラーが閾値を超えている時刻（または、通話開始時刻）とデジタル放送のチャンネル番号から、ファイルの選択２６０の情報をセレクタ２０８に伝達する事によって蓄積装置２０５の高速再生ファイルを選択し、かつ、ファイルの位置指定２５０の情報を蓄積装置２０５に伝達する事によって、エラーが閾値を超えている時刻（または、通話開始時刻）以降でデジタル放送のチャンネル番号に該当する高速再生ファイル部分を抽出する。
【００９５】
そして、補完視聴サービスサーバ２０のモデム２０９から、抽出した高速再生ファイル部分を電話公衆網３０及び無線基地局４０を介して携帯端末５０に送り出し、携帯端末５０では、これを携帯電話通信／制御部５３０により受信し、ＣＰＵ５２１を介してＤＳＰ５２２に送出し、ＤＳＰ５２２のビデオデコード機能及び音声デコード機能を用いて再生し、Ｄｉｓｐｌａｙ５４１、ＳＰＫ５４２に出力する。
【００９６】
これら一連の動作により、携帯端末５０にてデジタル放送を視聴していた視聴者は、デジタル放送の直接受信では視聴できなかった放送内容を、補完視聴サービスサーバ２０から補完的に受信して高速再生により番組内容を確認することが可能となる。
【００９７】
携帯端末５０では、補完視聴サービスサーバ２０からの補完視聴サービス用コンテンツ（高速再生ファイル）を受信すると同時に、放送局１０からのデジタル放送のＴＳパケットからＰＣＲのみを受信し、該ＰＣＲの値を現在時刻とする。そして、該ＰＣＲから得た現在時刻と、補完視聴サービスサーバ２０から送られてくる高速再生ファイル部分に多重化されて含まれている時刻情報（ＯＰＣＲ）を比較して、補完視聴サービス用コンテンツすなわち高速再生ファイル部分が、現在の放送局１０からのデジタル放送に追いついたことを判定する。追いついたら携帯端末５０は、放送局１０からのデジタル放送受信に自動的に切り替える。
【００９８】
高速再生ファイル部分の送出時間に応じて、補完視聴サービスサーバ２０のサービス業者は、携帯端末５０に課金する。
【００９９】
以上、本実施形態の第３の動作例として説明したように、デジタル放送の受信が不安定な携帯端末５０であっても、受信できなかった放送内容が、補完視聴サービスサーバ２０により、補完視聴サービス用コンテンツ、すなわち、高速再生ファイル部分としてダウンロードされるため、放送内容を高速再生により確認することができ、補完視聴サービスサーバ２０からの補完視聴サービス用コンテンツがデジタル放送に追いつけば、携帯端末５０は自動的にデジタル放送受信に切り替わる、という効果が有る。
【０１００】
次に、図１から図８に示した本実施形態の第４の動作例について詳細に説明する。
【０１０１】
本実施形態の第４の動作例は、補完視聴サービスサーバ２０が蓄積する補完視聴サービス用コンテンツが、第２の動作例として上述したダイジェストコンテンツである点で第２の動作例と同じであるが、ダイジェストコンテンツに多重化する時刻情報が、ＴＤＴまたはＴＯＴで無く、ＴＳパケットから得られるＰＣＲである点でのみ、第２の動作例とは異なるものである。
【０１０２】
すなわち、図１に示した放送局１０は、携帯端末５０向けテレビ放送などのデジタル放送を放送しており、携帯端末５０は、このデジタル放送を受信して視聴中である。
【０１０３】
携帯端末５０のＣＰＵ５２１は、デジタル放送を受信中に、ＴＳパケットのｔｒａｎｓｐｏｒｔ＿ｅｒｒｏｒ＿ｉｎｄｉｃａｔｏｒ  （図２（ロ−１））で示される時間当たりの受信エラーの発生頻度を、ストリーム監視機能を使用して常に計測している。ＴＳパケットのｔｒａｎｓｐｏｒｔ＿ｅｒｒｏｒ＿ｉｎｄｉｃａｔｏｒ  で示される時間当たりの受信エラーの発生頻度が、別途備えている閾値を越えたと判断した場合には、閾値を越えている時刻と、その時受信中のデジタル放送のチャンネル番号とを、携帯端末５０のメモリ５２３に記憶しておく。
【０１０４】
また、携帯端末５０のＣＰＵ５２１は、デジタル放送の視聴中に電話が着信した場合には、着信時刻すなわち通話開始時刻と、その時視聴中のデジタル放送のチャンネル番号とを、携帯端末５０のメモリ５２３に記憶しておく。
【０１０５】
補完視聴サービスサーバ２０は、放送局１０からの携帯端末５０向けデジタル放送を、常に受信している。そして、補完視聴サービスサーバ２０のトランスコーダ２０３は、受信したデジタル放送のビデオストリーム及びオーディオストリームの内から、重要なシーンだけを要約したダイジェストコンテンツ２４０を生成している。補完視聴サービスサーバ２０のＴＳマックス２０６は、ＴＳデマックス２０２からの時刻情報２２０のＰＣＲの値を、そのままＯＰＣＲに転記し、これをダイジェストコンテンツ２４０のダイジェストの位置に多重化したものを蓄積装置２０７に蓄積し続けている。なお、補完視聴サービスサーバ２０は、蓄積装置２０７のダイジェストコンテンツと放送時刻、放送のチャンネル番号を関連付けておく。
【０１０６】
携帯端末５０にてデジタル放送を視聴している視聴者は、デジタル放送の受信エラーが原因で放送内容を視聴できなかったとき、または、携帯端末５０に電話着信があったために通話を行い放送内容を視聴できなかったとき、携帯端末５０にて補完視聴サービスを選択する。携帯端末５０で補完視聴サービスが選択されると、メモリ５２３に記憶していたエラーが閾値を超えている時刻、または、通話開始時刻と、その時受信中であったデジタル放送のチャンネル番号とが、携帯電話通信／制御部５３０から発信され、これが無線基地局４０及び電話公衆網３０を介して、補完視聴サービスサーバ２０に伝送される。視聴者は、補完視聴サービスを選択した際に、補完視聴サービスサーバ２０のダイジェストコンテンツを利用するという情報も、合わせて補完視聴サービスサーバ２０に伝達するようにする。
【０１０７】
補完視聴サービスサーバ２０は、モデム２０９を介して受信した、エラーが閾値を超えている時刻（または、通話開始時刻）とデジタル放送のチャンネル番号から、ファイルの選択２６０の情報をセレクタ２０８に伝達する事によって蓄積装置２０７のダイジェストコンテンツを選択し、かつ、ファイルの位置指定２５０の情報を蓄積装置２０７に伝達する事によって、エラーが閾値を超えている時刻（または、通話開始時刻）以降でデジタル放送のチャンネル番号に該当するダイジェストコンテンツ部分を抽出する。
【０１０８】
そして、補完視聴サービスサーバ２０のモデム２０９から、抽出したダイジェストコンテンツ部分を電話公衆網３０及び無線基地局４０を介して携帯端末５０に送り出し、携帯端末５０では、これを携帯電話通信／制御部５３０により受信し、ＣＰＵ５２１を介してＤＳＰ５２２に送出し、ＤＳＰ５２２のビデオデコード機能及び音声デコード機能を用いて再生し、Ｄｉｓｐｌａｙ５４１、ＳＰＫ５４２に出力する。
【０１０９】
これら一連の動作により、携帯端末５０にてデジタル放送を視聴していた視聴者は、デジタル放送の直接受信では視聴できなかった放送内容を、補完視聴サービスサーバ２０から補完的に受信してダイジェストコンテンツにより番組内容を確認することが可能となる。
【０１１０】
携帯端末５０では、補完視聴サービスサーバ２０からの補完視聴サービス用コンテンツ（ダイジェストコンテンツ）を受信すると同時に、放送局１０からのデジタル放送のＴＳパケットからＰＣＲのみを受信し、該ＰＣＲの値を現在時刻とする。そして、該ＰＣＲから得た現在時刻と、補完視聴サービスサーバ２０から送られてくるダイジェストコンテンツ部分に多重化されて含まれている時刻情報（ＯＰＣＲ）を比較して、補完視聴サービス用コンテンツすなわちダイジェストコンテンツ部分が、現在の放送局１０からのデジタル放送に追いついたことを判定する。追いついたら携帯端末５０は、放送局１０からのデジタル放送受信に自動的に切り替える。
【０１１１】
ダイジェストコンテンツ部分の送出時間に応じて、補完視聴サービスサーバ２０のサービス業者は、携帯端末５０に課金する。
【０１１２】
以上、本実施形態の第４の動作例として説明したように、デジタル放送の受信が不安定な携帯端末５０であっても、受信できなかった放送内容が、補完視聴サービスサーバ２０により、補完視聴サービス用コンテンツ、すなわち、ダイジェストコンテンツ部分としてダウンロードされるため、放送内容をダイジェスト版により確認することができ、補完視聴サービスサーバ２０からの補完視聴サービス用コンテンツがデジタル放送に追いつけば、携帯端末５０は自動的にデジタル放送受信に切り替わる、という効果が有る。
【０１１３】
次に、図９、図１０、図１１を参照して、本発明のデジタル放送補完視聴サービス方式の第２の実施形態について説明する。
【０１１４】
図９は、本発明のデジタル放送補完視聴サービス方式の第２の実施形態を示すブロック図である。図９に示す第２の実施形態は、図１に示した第１の実施形態に比し、携帯端末５０−１が無線ＬＡＮ（Ｌｏｃａｌ  Ａｒｅａ  Ｎｅｔｗｏｒｋ：ラン）内臓デジタル放送受信機に変わっている点、及び、補完視聴サービスサーバ２０−１からの補完視聴サービス用コンテンツが、インターネット６０及び無線ＬＡＮアクセスポイント７０を介して、携帯端末５０−１に送出される点でのみ、異なるものである。従って、図９において図１に示す構成要素に対応するものは同一の参照数字または符号を付し、その説明を省略するものとする。
【０１１５】
すなわち、図９に示す第２の実施形態は、携帯端末５０−１向けテレビ放送などのデジタル放送を行う放送局１０と、放送局１０からのデジタル放送を受信し、デジタル放送の内容を高速再生ファイル或いはダイジェストコンテンツなどの補完視聴サービス用コンテンツに変換して蓄積する補完視聴サービスサーバ２０−１と、補完視聴サービスサーバ２０−１の補完視聴サービス用コンテンツを、携帯端末５０−１に配信するためのインターネット６０及び無線ＬＡＮアクセスポイント７０と、放送局１０からのデジタル放送を直接受信する機能を備えると共に、受信エラー等の原因によって放送局１０からのデジタル放送を視聴できなかった場合に、視聴できなかった部分を補完視聴サービスサーバ２０−１から補完して視聴する機能を備える携帯端末５０−１と、から構成されている。
【０１１６】
ここで、放送局１０からのデジタル放送は、第１の実施形態と同様に、ＭＰＥＧ２システムズのＴＳ（Ｔｒａｎｓｐｏｒｔ  Ｓｔｒｅａｍ：トランスポートストリーム）を用いて、映像信号（ビデオストリーム）や音声信号（オーディオストリーム）等の放送が行われている。そして、ＴＳの構造及びＴＤＴ、ＴＯＴのテーブル構造は、図２〜図４、図５、図６に示したものと全く同一であるため、これ以上の説明は省略するものとする。
【０１１７】
次に、図１０を参照して、図９に示した第２の実施形態の補完視聴サービスサーバ２０−１の構成について説明する。
【０１１８】
図１０は、補完視聴サービスサーバの第２の例を示す詳細ブロック図である。図１０に示す補完視聴サービスサーバ２０−１は、図７に示した第１の実施形態の補完視聴サービスサーバ２０のモデム２０９が、インターネット６０と接続するネットワークＩ／Ｆ（Ｉｎｔｅｒｆａｃｅ  ：インタフェース）２１０に置き換えられている点でのみ異なるものである。従って、図１０において図７に示す構成要素に対応するものは同一の参照数字または符号を付し、その説明を省略するものとする。
【０１１９】
すなわち、図１０に示す補完視聴サービスサーバ２０−１のネットワークＩ／Ｆ２１０は、インターネット６０を介して、携帯端末５０−１から受信する要求情報の内、ファイルの位置指定２５０の情報を蓄積装置２０５、２０７に伝達すると共に、ファイルの選択２６０の情報をセレクタ２０８に伝達する。また、セレクタ２０８によって選択された蓄積装置２０５の高速再生ファイル、或いは、蓄積装置２０７のダイジェストコンテンツを、インターネット６０を介して携帯端末５０−１に送出する。
【０１２０】
次に、図１１を参照して、図９に示した第２の実施形態の携帯端末５０−１の構成について説明する。なお、本願の特許請求の範囲においては、携帯端末５０−１を携帯受信機と称するものとする。
【０１２１】
図１１は、携帯端末の第２の例を示す詳細ブロック図である。図１１に示す携帯端末５０−１は、図８に示した第１の実施形態の携帯端末５０の携帯電話通信／制御部５３０が、無線ＬＡＮアクセスポイント７０を介してデータ通信などを行う無線ＬＡＮ通信／制御部５５０と置き換えられている点でのみ異なるものである。従って、図１１において図８に示す構成要素に対応するものは同一の参照数字または符号を付し、その説明を省略するものとする。
【０１２２】
すなわち、図１１に示す携帯端末５０−１は、無線ＬＡＮアクセスポイント７０及びインターネット６０を介してデータ通信などが可能な端末装置に、放送局１０からの携帯端末５０−１向けデジタル放送を受信できる機能を搭載した、無線ＬＡＮ内臓デジタル放送受信機である。
【０１２３】
そして、携帯端末５０−１は、放送局１０からのデジタル放送を受信するデジタル放送チューナ部５１０と、無線ＬＡＮアクセスポイント７０及びインターネット６０を介してデータ通信などを行う無線ＬＡＮ通信／制御部５５０と、デジタル放送チューナ部５１０及び無線ＬＡＮ通信／制御部５５０の制御を行うアプリケーション制御部５２０と、アプリケーション制御部５２０から出力される画像／映像情報を表示する表示装置としてのＤｉｓｐｌａｙ５４１と、アプリケーション制御部５２０から出力される音声情報を出力するＳＰＫ５４２と、アプリケーション制御部５２０が必要とするデータを記憶するメモリ５２３と、アプリケーション制御部５２０に時刻情報を提供する時計５２４と、から構成されている。
【０１２４】
無線ＬＡＮ通信／制御部５５０は、無線ＬＡＮアクセスポイント７０との間でデータ通信などのための無線電波の送受信を行う通信部５５１と、アプリケーション制御部５２０の制御のもとで通信部５５１の制御を行う制御部５５２と、から構成されている。無線ＬＡＮ通信／制御部５５０は、補完視聴サービスサーバ２０−１から送られてくる補完視聴サービス用コンテンツの受信部にもなっている。
【０１２５】
次に、図９から図１１に示した第２の実施形態の動作について説明する。
【０１２６】
第２の実施形態における動作は、第１の実施形態の動作として記述した第１〜第４の動作例において、補完視聴サービス用コンテンツの経由する電話公衆網３０及び無線基地局４０を、インターネット６０及び無線ＬＡＮアクセスポイント７０に置き換えたものと同一である。従って、第２の実施形態における動作例として、第１の実施形態の第１の動作例として記述したものに対応する動作のみを以下に示し、第１の実施形態の第２〜第４の動作例として記述したものに対応する動作の説明は、省略するものとする。
【０１２７】
図９に示した放送局１０は、携帯端末５０−１向けテレビ放送などのデジタル放送を放送しており、携帯端末５０−１は、このデジタル放送を受信して視聴中である。
【０１２８】
携帯端末５０−１のＣＰＵ５２１は、デジタル放送を受信中に、ＴＳパケットのｔｒａｎｓｐｏｒｔ＿ｅｒｒｏｒ＿ｉｎｄｉｃａｔｏｒ  （図２（ロ−１））で示される時間当たりの受信エラーの発生頻度を、ストリーム監視機能を使用して常に計測している。ＴＳパケットのｔｒａｎｓｐｏｒｔ＿ｅｒｒｏｒ＿ｉｎｄｉｃａｔｏｒ  で示される時間当たりの受信エラーの発生頻度が、別途備えている閾値を越えたと判断した場合には、閾値を越えている時刻と、その時受信中のデジタル放送のチャンネル番号とを、携帯端末５０−１のメモリ５２３に記憶しておく。
【０１２９】
また、携帯端末５０−１のＣＰＵ５２１は、デジタル放送の視聴中にデータ通信などの着信があった場合には、着信時刻すなわち通信開始時刻と、その時視聴中のデジタル放送のチャンネル番号とを、携帯端末５０−１のメモリ５２３に記憶しておく。
【０１３０】
補完視聴サービスサーバ２０−１は、放送局１０からの携帯端末５０−１向けデジタル放送を、常に受信している。そして、補完視聴サービスサーバ２０−１のトランスコーダ２０３は、受信したデジタル放送のビデオストリームの画面の間引きを行い、再生画面が高速再生に見えるＭＰＥＧビジュアルストリームに変換する。また、受信したデジタル放送のオーディオストリームは、音声データのサンプル周波数の変換と、音声データの第１、第２ホルマントの抽出及び該ホルマント周波数位置の移動を行って、早口に再生するＭＰＥＧオーディオストリームに変換する。そして、このＭＰＥＧビジュアルストリームと、ＭＰＥＧオーディオストリームをマルチプレックスして高速再生ファイル２３０を生成し続けている。補完視聴サービスサーバ２０−１のＴＳマックス２０４は、ＴＳデマックス２０２からの時刻情報２２０のＴＤＴまたはＴＯＴを、高速再生ファイル２３０の高速再生の位置に多重化して、これを蓄積装置２０５に蓄積し続けている。なお、補完視聴サービスサーバ２０−１は、蓄積装置２０５の高速再生ファイルと放送時刻、放送のチャンネル番号を関連付けておく。
【０１３１】
携帯端末５０−１にてデジタル放送を視聴している視聴者は、デジタル放送の受信エラーが原因で放送内容を視聴できなかったとき、または、携帯端末５０−１にデータ通信などの着信があったために放送内容を視聴できなかったとき、携帯端末５０−１にて補完視聴サービスを選択する。携帯端末５０−１で補完視聴サービスが選択されると、メモリ５２３に記憶していたエラーが閾値を超えている時刻、または、通信開始時刻と、その時受信中であったデジタル放送のチャンネル番号とが、無線ＬＡＮ通信／制御部５５０から発信され、これが無線ＬＡＮアクセスポイント７０及びインターネット６０を介して、補完視聴サービスサーバ２０−１に伝送される。視聴者は、補完視聴サービスを選択した際に、補完視聴サービスサーバ２０−１の高速再生ファイルを利用するという情報も、合わせて補完視聴サービスサーバ２０−１に伝達するようにする。
【０１３２】
補完視聴サービスサーバ２０−１は、ネットワークＩ／Ｆ２１０を介して受信した、エラーが閾値を超えている時刻（または、通信開始時刻）とデジタル放送のチャンネル番号から、ファイルの選択２６０の情報をセレクタ２０８に伝達する事によって蓄積装置２０５の高速再生ファイルを選択し、かつ、ファイルの位置指定２５０の情報を蓄積装置２０５に伝達する事によって、エラーが閾値を超えている時刻（または、通信開始時刻）以降でデジタル放送のチャンネル番号に該当する高速再生ファイル部分を抽出する。
【０１３３】
そして、補完視聴サービスサーバ２０−１のネットワークＩ／Ｆ２１０から、抽出した高速再生ファイル部分をインターネット６０及び無線ＬＡＮアクセスポイント７０を介して携帯端末５０−１に送り出し、携帯端末５０−１では、これを無線ＬＡＮ通信／制御部５５０により受信し、ＣＰＵ５２１を介してＤＳＰ５２２に送出し、ＤＳＰ５２２のビデオデコード機能及び音声デコード機能を用いて再生し、Ｄｉｓｐｌａｙ５４１、ＳＰＫ５４２に出力する。
【０１３４】
これら一連の動作により、携帯端末５０−１にてデジタル放送を視聴していた視聴者は、デジタル放送の直接受信では視聴できなかった放送内容を、補完視聴サービスサーバ２０−１から補完的に受信して高速再生により番組内容を確認することが可能となる。
【０１３５】
携帯端末５０−１では、携帯端末５０−１内の時計５２４の現在時刻と、補完視聴サービスサーバ２０−１から送られてくる高速再生ファイル部分に多重化されて含まれている時刻情報（ＴＤＴまたはＴＯＴ）を比較して、補完視聴サービス用コンテンツすなわち高速再生ファイル部分が、現在の放送局１０からのデジタル放送に追いついたことを判定する。追いついたら携帯端末５０−１は、放送局１０からのデジタル放送受信に自動的に切り替える。
【０１３６】
高速再生ファイル部分の送出時間に応じて、補完視聴サービスサーバ２０−１のサービス業者は、携帯端末５０−１に課金する。
【０１３７】
以上、第２の実施形態の動作例として説明したように、デジタル放送の受信が不安定な携帯端末５０−１であっても、受信できなかった放送内容が、補完視聴サービスサーバ２０−１により、補完視聴サービス用コンテンツ、すなわち、高速再生ファイル部分としてダウンロードされるため、放送内容を高速再生により確認することができ、補完視聴サービスサーバ２０−１からの補完視聴サービス用コンテンツがデジタル放送に追いつけば、携帯端末５０−１は自動的にデジタル放送受信に切り替わる、という効果が有る。
【０１３８】
【発明の効果】
以上説明したように、本発明のデジタル放送の補完視聴サービスサーバ、携帯受信機、及びデジタル放送補完視聴サービス方式は、携帯端末向けテレビ放送などのデジタル放送を携帯端末で受信中に、受信エラー等の原因によって放送内容を視聴できなかった場合、補完視聴サービスサーバから携帯端末に対し高速再生ファイル或いはダイジェストコンテンツなどの補完視聴サービス用コンテンツを配信することができるので、携帯端末で視聴できなかった放送内容を補完して視聴することが可能となる、という効果を有している。
【０１３９】
また、携帯端末で視聴中の補完視聴サービス用コンテンツがデジタル放送に追いついた場合には、携帯端末において自動的にデジタル放送受信に切り替わる、という効果を有している。
【図面の簡単な説明】
【図１】本発明のデジタル放送補完視聴サービス方式の一実施形態を示すブロック図である。
【図２】ＴＳ（トランスポートストリーム）の構造を示す図である。
【図３】ＴＳパケットのデータ構造を示す図である。
【図４】ＴＳパケットのアダプテーションフィールドのデータ構造を示す図である。
【図５】ＴＤＴ（時刻日付テーブル）のテーブル構造を示す図である。
【図６】ＴＯＴ（時刻日付オフセットテーブル）のテーブル構造を示す図である。
【図７】補完視聴サービスサーバの一例を示す詳細ブロック図である。
【図８】携帯端末の一例を示す詳細ブロック図である。
【図９】本発明のデジタル放送補完視聴サービス方式の第２の実施形態を示すブロック図である。
【図１０】補完視聴サービスサーバの第２の例を示す詳細ブロック図である。
【図１１】携帯端末の第２の例を示す詳細ブロック図である。
【符号の説明】
１０    放送局
２０    補完視聴サービスサーバ
２０−１    補完視聴サービスサーバ
２０１    チューナ
２０２    ＴＳデマックス
２０３    トランスコーダ
２０４    ＴＳマックス
２０５    蓄積装置
２０６    ＴＳマックス
２０７    蓄積装置
２０８    セレクタ
２０９    モデム
２１０    ネットワークＩ／Ｆ
３０    電話公衆網
４０    無線基地局
５０    携帯端末
５０−１    携帯端末
５１０    デジタル放送チューナ部
５１１    チューナモジュール
５１２    チューナ
５１３    チューナ制御部
５２０    アプリケーション制御部
５２１    ＣＰＵ
５２２    ＤＳＰ
５２３    メモリ
５２４    時計
５３０    携帯電話通信／制御部
５３１    通信部
５３２    制御部
５４１    Ｄｉｓｐｌａｙ
５４２    ＳＰＫ
５５０    無線ＬＡＮ通信／制御部
５５１    通信部
５５２    制御部
６０    インターネット
７０    無線ＬＡＮアクセスポイント
【図１】
2004349932.tif 000003
【図２】
2004349932.tif 000004
【図３】
2004349932.tif 000005
【図４】
2004349932.tif 000006
【図５】
2004349932.tif 000007
【図６】
2004349932.tif 000008
【図７】
2004349932.tif 000009
【図８】
2004349932.tif 000010
【図９】
2004349932.tif 000011
【図１０】
2004349932.tif 000012
【図１１】
2004349932.tif 000013